(57)【要約】【課題】多様な発光パターンを有するボールを提供する。【解決手段】与えられた衝撃を検知する衝撃検知部と、衝撃検知部が衝撃を検知した検知回数を計数するカウンタと、発光する発光部と、カウンタが計数した検知回数と、予め定められた検知回数とに応じて、発光部の発光を制御する制御部と、衝撃検知部、カウンタ、及び制御部を格納し、略球形状を有する弾性部材とを備え、予め定められた回数の衝撃が与えられた場合に、衝撃の回数に応じた発光を行うボール。【選択図】　図６
2004016451.tif 000002
【特許請求の範囲】
【請求項１】
予め定められた回数の衝撃が与えられた場合に、前記衝撃の回数に応じた発光をするボール。
【請求項２】
与えられた前記衝撃を検知する衝撃検知部と、
前記衝撃検知部が前記衝撃を検知した検知回数を計数するカウンタと、
発光する発光部と、
前記カウンタが計数した前記検知回数と、前記予め定められた検知回数とに応じて、前記発光部の発光を制御する制御部と
を備えることを特徴とする請求項１に記載のボール。
【請求項３】
前記衝撃検知部、前記カウンタ、及び前記制御部を内部に格納し、略球形状を有する弾性部材を更に備えることを特徴とする請求項２に記載のボール。
【請求項４】
前記弾性部材は、実質的に不透明な材質により形成されることを特徴とする請求項３に記載のボール。
【請求項５】
前記弾性部材の表面には、使用目的に沿った形状の模様が設けられていることを特徴とする請求項４に記載のボール。
【請求項６】
前記衝撃検知部が、使用者が前記ボールをリフティングした場合に生じる前記衝撃を検出することにより、前記制御部は、前記リフティングの回数に応じた発光を前記発光部に行わせることを特徴とする請求項４に記載のボール。
【請求項７】
前記制御部は、前記カウンタにおける前記検知回数が、予め定められた検知回数に達した場合に、前記発光部の発光を予め定められた点滅回数、点滅させることを特徴とする請求項４に記載のボール。
【請求項８】
前記制御部は、前記カウンタが計数した前記検知回数が大きくなるにつれ、前記発光部における発光の点滅回数を多くすることを特徴とする請求項７に記載のボール。
【請求項９】
前記制御部は、前記カウンタが前記予め定められた検知回数を計数した場合に、前記点滅回数の点滅を行う群点滅を、予め定められた時間繰り返して行うことを特徴とする請求項７に記載のボール。
【請求項１０】
前記制御部は、前記衝撃検知部が予め定められた時間、前記衝撃を検出しない場合、前記カウンタが計数した前記検知回数を零にすることを特徴とする請求項８に記載のボール。
【請求項１１】
前記発光部は、光を射出する発光素子を有し、
前記ボールは、前記発光素子が射出した前記光を、前記弾性部材の表面に沿って導光するチューブを更に備えることを特徴とする請求項３から１０のいずれかに記載のボール。
【請求項１２】
前記発光部は、異なる色で発光する複数の前記発光素子を有し、
前記制御部は、前記カウンタが計数した前記検知回数が大きくなるにつれ、多くの前記発光素子を用いて前記発光部の発光を点滅させることを特徴とする請求項１１に記載のボール。
【請求項１３】
前記チューブの両端に前記発光素子を設けることを特徴とする請求項１１に記載のボール。
【請求項１４】
前記チューブの射出光面は、前記弾性部材の表面より窪んでいることを特徴とする請求項１１に記載のボール。
【請求項１５】
前記チューブは、前記弾性部材と接する面に、離間的に設けられた複数の突起部を有し、前記突起部は前記弾性部材に固定されていることを特徴とする請求項１１に記載のボール。
【請求項１６】
前記弾性部材は、表面に前記チューブを保持する溝部を有し、
前記チューブは、前記弾性部材の中心に向かって広がりを有し、前記溝部に保持されることを特徴とする請求項１１に記載のボール。
【請求項１７】
前記ボール表面の対向する２つの点のそれぞれを中心として放射状に設けられ、ループ状の形状を有する複数の前記チューブを備えることを特徴とする請求項１３に記載のボール。
【請求項１８】
前記ボールを任意の方向から見た場合に、少なくとも１つの前記チューブの、少なくとも一部が視認されるように、前記複数のチューブが設けられたことを特徴とする請求項１７に記載のボール。
【発明の詳細な説明】
【０００１】
【発明の属する技術分野】
本発明は、遊技、競技、練習等に用いるボールに関する。特に、本発明は、発光するボールに関する。
【０００２】
【従来の技術】
球技等の練習には、いわゆる試合形式の練習と、個々の技術向上をはかる反復練習がある。試合形式の練習と反復練習とを繰り返すことにより、総合的な技術の向上を図ることができる。反復練習には例えばサッカーにおいて、ボールを扱う技術を向上させるリフティング練習等がある。リフティングとは、足又は頭を用いて、ボールを落とさずに打ち上げ続ける動作を指す。
【０００３】
しかしながら、試合形式の練習に比べ、反復練習では単調な練習を繰り返す必要がある。このため、従来のボールを用いた反復練習は変化が乏しく、継続して練習を行うことが困難であった。例えば、リフティング練習等においても、達成度に関わらずボールを蹴り続けるという単調な練習となってしまう。
【０００４】
また、多人数で行う遊技等においても、従来のボールを用いた遊技は単調であり、面白みに欠けるものであった。例えば多人数でボールを落とさずに順に打ち返すような遊技等においても、従来のボールも用いたものは単調であり、面白みに欠けるものであった。
【０００５】
ここで、実用新案第３０５８１２２号公報には、壁や地面に接触して衝撃を受けた場合に発光する弾性ボールが開示されている。この弾性ボールは、衝撃による振動力により発光体と電池とを通電させ、発光させている。
【０００６】
【発明が解決しようとする課題】
しかし、この弾性ボールも衝撃を受ける毎に単調な発光しかしない。つまり、衝撃を受ける毎に、単一の発光体が発光するのみである。このため、例えばリフティング練習に用いた場合であっても、練習の達成度に関わらず単調な発光しかしないため、練習が単調なものとなってしまい継続して行うことが困難であった。
【０００７】
また、この弾性ボールは、光源を一様に透明な弾性部材で覆っているため、ボール表面において所望の形状で発光させることが困難であり、またボール表面において、ボールの用途に応じた模様を付することが困難であり、通常のボールと同様な模様を付して使用することが困難であった。また、一様に透明な弾性部材で光源を覆っているため、弾性ボールが見える角度が変わっても、変化の無い発光パターンしか視覚することができなかった。
【０００８】
また、この弾性ボールは、光源を一様に透明な弾性部材で覆っているため、発光する領域を分割することができなかった。例えば、ボール１００の表面の異なる領域を順に発光させることができなかった。また、発光しない領域を設けることが困難であった。これらのため、前述したように、従来の弾性ボールは、単調な発光しか行うことができなかった。
【０００９】
そこで、本発明は、上記課題を解決することのできるスポーツ訓練用ボールを提供することを目的とする。この目的は、特許請求の範囲における独立項に記載の新規な構成の採用により達成される。又、下位概念の請求項は、本発明の更なる有利な具体例を規定する。
【００１０】
【課題を解決するための手段】
上記課題を解決するために、本発明の実施の形態においては、予め定められた回数の衝撃が与えられた場合に、衝撃の回数に応じた発光をするボールを提供する。
【００１１】
ボールは、与えられた衝撃を検知する衝撃検知部と、衝撃検知部が衝撃を検知した検知回数を計数するカウンタと、発光する発光部と、カウンタが計数した検知回数と、予め定められた検知回数とに応じて、発光部の発光を制御する制御部とを備える。
【００１２】
また、ボールは、衝撃検知部、カウンタ、及び制御部を格納し、略球形状を有する弾性部材を更に備えてもよい。弾性部材は、実質的に不透明な材質により形成されることが好ましい。また、弾性部材の表面には、使用目的に沿った形状の模様が設けられていてよい。衝撃検知部が、使用者がボールをリフティングした場合に生じる衝撃を検出することにより、制御部は、リフティングの回数に応じた発光を発光部に行わせてもよい。
【００１３】
また、制御部は、カウンタにおける検知回数が、予め定められた検知回数に達した場合に、予め定められた点滅回数、発光部の発光を点滅させてよい。制御部は、カウンタが計数した検知回数が大きくなるにつれ、発光部における発光の点滅回数を多くすることが好ましい。また、制御部は、カウンタが予め定められた検知回数を計数した場合に、点滅を予め定められた時間繰り返してもよい。制御部は、衝撃検知部が予め定められた時間、衝撃を検出しない場合、カウンタが計数した検知回数を零にしてもよい。
【００１４】
また、発光部は、光を射出する発光素子と、発光素子が射出した光を、弾性部材の表面に沿って導光するチューブとを有してよい。発光部は、異なる色で発光する複数の発光素子を有し、制御部は、カウンタが計数した検知回数が大きくなるにつれ、多くの発光素子を用いて発光部の発光を点滅させてもよい。
【００１５】
また、発光部は、チューブの両端に発光素子を設けてよい。チューブの射出光面は、弾性部材の表面より窪んでいることが好ましい。チューブは、弾性部材と接する面に、離間的に設けられた複数の突起部を有し、突起部は弾性部材に固定されていることが好ましい。
【００１６】
また、弾性部材は、表面にチューブを保持する溝部を有し、チューブは、弾性部材の中心に向かって広がりを有し、溝部に保持されてよい。チューブは、ループ状の形状を有し、発光部は、ボール表面の対向する２つの点のそれぞれを中心として、放射状に設けられた複数のチューブを有してよい。
【００１７】
また、ボールを任意の方向から見た場合に、少なくとも１つのチューブの、少なくとも一部が視認されるように、複数のチューブが設けられることが好ましい。
【００１８】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００１９】
図１は、本発明の実施形態に係るボール１００の一例を示す図である。ボール１００は、予め定められた回数の衝撃が与えられた場合に、衝撃の回数に応じた発光をする。このため、従来のボールとくらべて多様な発光パターンを提供でき、面白みのある発光を行うことができる。
【００２０】
図１（ａ）は、ボール１００の正面図を示し、図１（ｂ）は、ボール１００の上面図を示す。ボール１００は、内部に設けられた電子部品（図示せず）と、電子部品を格納する弾性部材１０と、弾性部材１０の表面に設けられた複数のチューブ２４を備える。電子部品は、与えられた衝撃を検知する衝撃検知部と、衝撃検知部が衝撃を検知した検知回数を計数するカウンタと、発光する発光部と、カウンタが計数した検知回数と、予め定められた検知回数とに応じて、発光部の発光を制御する制御部とを備える。発光部は、光を射出する発光素子を有し、チューブ２４は、発光素子が射出した光を、弾性部材１０の表面に沿って導光する。
【００２１】
弾性部材１０は、実質的に不透明な材質により形成される。また、弾性部材１０の表面には、使用目的に沿った形状の模様が設けられている。弾性部材１０が不透明な材質による形成されることにより、弾性部材１０の表面に所望の形状の模様を付すことができる。例えば、通常のサッカーボールの模様のような、使用目的に応じた模様を付すことができる。また、ボール１００は、チューブ２４を用いて弾性部材１０の表面に沿って光を導光するため、弾性部材１０が不透明な材質であり、且つ発光素子が弾性部材１０の中に格納されていても、ボール１００を発光させることができる。これらにより、通常のボールと同様の模様を有し、且つ所望の形状の発光を行うボール１００を実現できる。
【００２２】
複数のチューブ２４のそれぞれは、略透明であって、弾性を有する材料で構成される。また、複数のチューブ２４のそれぞれは、ループ状の形状を有し、ボール表面の対向する２つの点のそれぞれを中心として、放射状に設けられる。本例において、ボール１００は、サッカーボール状のボールであり、弾性部材１０の表面に五角形及び六角形からなる模様を有する。弾性部材１０は、対向する２つの六角形の領域において、取り外し可能な蓋部７０を有する。弾性部材１０は、内部に電子部品を格納するための空洞を有し、蓋部７０は、当該空洞の開口部を覆う。
【００２３】
また、それぞれのチューブ２４は、弾性部材１０の内部に設けられた発光素子と、蓋部７０の裏面近傍において光学的に接続され、それぞれの蓋部７０における六角形の一の頂点から、弾性部材１０の表面に沿って光を導光し、当該一の頂点に隣接する他の頂点までループするように設けられる。本例において、ボール１００は、それぞれの蓋部７０を中心として、放射状に設けられた３つずつのチューブ２４を有する。このように、対向する２つの点を中心に放射状にチューブ２４を設けることにより、ボール１００の重心を略ボール中心とすることができる。
【００２４】
また、ボール１００を任意の方向から見た場合に、少なくとも１つのチューブ２６の、少なくとも一部が視認されるように、複数のチューブ２６を設けることが好ましい。これにより、ボール１００を使用している場合に、ボール１００が見える角度が変化しても、ボール１００の発光を視認することができる。
【００２５】
また、複数のチューブ２４は、弾性部材１０と接する面に、離間的に設けられた複数の突起部８２を有し、突起部８２は弾性部材１０に固定されている。複数のチューブ２４を離間的に固定することにより、チューブ２４全体を接着する場合に比べ、光の吸収及び散乱を低減し、発光素子から離れた箇所まで効率よく光を導光することができる。このため、チューブ２４全体を効率よく光らせることができる。また、弾性を有するチューブ２４を用いてボール１００の表面を発光させるため、容易に所望の形状に曲折させたチューブ２４をボール１００の表面に設けることができる。このため、ボール１００の表面において、所望の形状の発光を容易に行うことができる。また、分割して設けられた複数のチューブ２４を発光させることにより、より多様な発光パターンを生成することができる。
【００２６】
図２は、ボール１００の断面図の一例を示す。ボール１００は、略球状の弾性部材１０の内部に空洞４４を有する。電子部品５０は空洞４４に設けられ、弾性部材１０の略中心に載置される。蓋部７０は、表層部７２と、突出部７４と、挿入部７６とを有する。表層部７２は、空洞４４の開口部４０と略同一の形状を有し、開口部４０に嵌合する。また、挿入部７６は、表層部７２から弾性部材１０の中心方向に突出して設けられ、空洞４４の内部に挿入され電子部品５０を弾性部材１０の略中心に載置する。突出部７４は、表層部７２から挿入部７６に沿って設けられる。二つの蓋部７０の挿入部７６によって電子部品５０を載置することにより、電子部品５０を弾性部材１０の略中心に固定することができる。このため、電子部品５０を、ボール１００に与えられる衝撃から保護することができる。
【００２７】
また、電子部品５０は、発光及び発光制御を行うための電源を有する。本例において、電子部品５０は、電源としての電池を載置する電池ボックスを有する。図４において後述するように、挿入部７６を着脱することにより、使用者が電池を交換することができる。また、ボール１００には、用途に合った電池が使用される。例えば、ボール１００を軽量化したい場合、電池ボックスは、軽量のリチウム電池を載置し、ボール１００の電池交換の頻度を低減したい場合、長寿命のアルカリ電池を載置してよい。また、これらの電池は充電式であってもよい。
【００２８】
また、電子部品５０のうち、発光部６０は、図２に示すように空洞４４の開口部４０近傍に設けられる。発光部６０は、電子部品５０の制御部と配線３６によって電気的に接続され、当該制御部は発光部６０の発光を制御する。発光部６０は開口部４０近傍において、複数のチューブ２４のそれぞれと光学的に接続され、複数のチューブ２４のそれぞれは、発光部６０が発光した光をボール１００の表面に沿って導光する。
【００２９】
図３は、開口部４０を説明する図である。図３（ａ）は開口部４０の上面図を示す。本例において、開口部４０は、弾性部材１０の表面において、空洞４４の断面より大きい六角形状の開口と、当該開口から空洞４４に向かう斜面とを有する。開口部４０の斜面には複数の溝部４２が設けられ、発光部６０及び配線３６は、それぞれ溝部４２に設けられる。複数のチューブ２４は、溝部４２において発光部６０とそれぞれ光学的に接続される。開口部４０に溝部４２を設けることにより、開口部４０に配置されたチューブ２４、発光部６０、及び配線３６を圧迫することなく、蓋部７０を開口部４０に嵌合することができる。
【００３０】
また、発光部６０は、複数のチューブ２４のそれぞれの両端に設けられる。チューブ２４の両端に発光部６０を設けることにより、チューブ２４の発光部６０から離れた箇所を効率よく光らせることができる。
【００３１】
図３（ｂ）は、発光部６０の構成の一例を示す。発光部６０は、発光素子６４、及びカバー６２を有する。発光素子６４は、例えば発光ダイオード等の発光素子であって、配線３６と電気的に接続される。発光素子６４は、配線３６を介して電子部品５０の制御部から発光制御信号を受け取り、発光制御信号に応じて光を射出する。カバー６２は、発光素子６４を覆い、発光素子６４を保護する。チューブ２４は、カバー６２の内部において発光素子６４と光学的に接続され、発光素子６４が射出した光を導光する。つまり、発光素子６４の射出光面に対向してチューブ２４の断面が設けられ、発光素子６４が射出した光をチューブ２４の内部に取り込む。
【００３２】
チューブ２４は、対応する発光素子６４の射出光面より大きい面積の断面を有することが好ましい。これにより、発光素子６４が射出する光を効率よくチューブ２４の内部に取り込むことができる。また、それぞれのチューブ２４に接続される発光素子６４は異なる色を発光してもよい。つまり、それぞれのチューブ２４は、異なる色で発光してもよい。
【００３３】
図３（ｃ）は、発光部６０の構成の他の例を示す。本例において、発光部６０は複数の発光素子６４を有する。複数の発光素子６４は、異なる色の光を発光する。電子部品５０の制御部は、複数の発光素子６４を順に発光させてよく、また複数の発光素子６４を同時に発光させてもよい。発光部６０が複数の色に対応する発光素子６４を有することにより、より多様な発光を行うことができる。
【００３４】
図４は、蓋部７０の構造の一例を示す。図４（ａ）は蓋部７０の断面図を示す。空洞４４に電子部品５０を配置した後、表層部７２は弾性部材１０に接着される。前述したように、電子部品５０は、電池ボックスを更に有する。挿入部７６は、表層部７２と着脱可能に設けられる。電池ボックスは、挿入部７６が空洞４４に挿入されている状態で、挿入部７６の直下に設けられ、挿入部７６を表層部７２からはずすことにより、使用者は電池の交換を行うことができる。また、表層部７２を弾性部材１０に固定することにより、発光部６０等の露出を防ぐことができる。
【００３５】
また、表層部７２の表面には、挿入部７６の着脱を容易にするための溝部７８が設けられることが好ましい。図４（ｂ）は、蓋部７０の上面図を示す。図４（ａ）及び図４（ｂ）に示すように、溝部７８は挿入部７６の側面の少なくとも一部を表出させるように設けられる。
【００３６】
図４（ｃ）は、蓋部７０の下面図を示す。表層部７２は略六角錐形状を有するが、表層部７２は、表層部７２の角部を面取りした斜面８０を有することが好ましい。表層部７２の角部が面取りされていることにより、図３において説明した溝部４２に配置されたチューブ２４及び発光部６０を圧迫することを防ぐことができる。
【００３７】
図５は、ボール１００の用途の一例を説明する。ボール１００は、例えばサッカーのリフティング練習に用いられる。この場合、ボール１００は、リフティングによる衝撃を検知し、リフティングの回数に応じた発光を行う。例えば、所定の回数リフティングが成功する毎に、ボール１００は所定の点滅を行う。この場合、リフティングの回数が多くなるにつれ、発光の点滅回数を多くすることや、リフティングの回数が多くなるにつれ、発光に用いる色数を増加させることにより、使用者のリフティング練習に対する意欲を高めることができる。また、所定の回数毎に点滅することにより、使用者にリフティングの回数を容易に通知することができる。また、ボール１００の用途は、サッカー等の球技の練習に限定されない。例えば、多人数で行う遊技等に用いることにより、より面白みの有る遊技を行うことができる。
【００３８】
例えば、多人数で円陣を組み、ボールを落とさずに、バレーボールにおけるトス等によりボールを順に打ち返す様な遊技や、蹴鞠等に使用することにより、より面白みの有る遊技を行うことができる。また、バスケットボールにおけるドリブルの練習に使用することにより、使用者のドリブル練習に対する意欲を高めることができる。これらのように、ボール１００は、多様な用途に使用することができる。ボール１００は、それぞれの用途に合った形状及び材質を有することが好ましい。
【００３９】
図６は、電子部品５０の構成の一例を示すブロック図である。衝撃検知部５２は、ボール１００に与えられた衝撃を検知する。例えば、衝撃検知部５２は、使用者がボール１００をリフティングしたことによる衝撃を検出し、制御部５６は、使用者のリフティング回数に応じた発光を行わせる。この場合、衝撃検知部５２は、使用者がボール１００をリフティングすることにより生じる衝撃を検出できる程度に感度が設定される。衝撃検知部５２は、ボール１００の加速度の変化、振動等によって衝撃を検知する。
【００４０】
カウンタ５４は、衝撃検知部５２が衝撃を検知した検知回数を計数する。制御部５６は、カウンタ５４が計数した検知回数と、予め定められた検知回数とに応じて、発光部６０の発光パターンを制御する。例えば、制御部５６は、カウンタ５４が計数した検知回数が、予め定められた検知回数に達した場合に、予め定められた点滅回数、発光部６０の発光を点滅させる。この場合、制御部５６は、カウンタ５４が計数した検知回数が大きくなるにつれ、発光部における発光の点滅回数を多くすることが好ましい。制御部５６は、複数の発光素子６４のそれぞれを制御する。
【００４１】
また、制御部５６は、衝撃検知部５２が所定の時間、衝撃を検出しない場合、カウンタ５４が計数した検知回数をリセットする。ここで、リセットとは、カウンタ５４が計数した検知回数と、予め定められた検知回数との差を所定の値にする動作を指す。本例において、制御部５６は、カウンタ５４における検知回数を零にリセットする。
【００４２】
図７は、発光パターンの制御の一例を示す。図７（ａ）及び図７（ｂ）の、検知回数タイミング図においては、１つの矢印が一回の衝撃検知を示す。また、発光タイミング図においては、１つの矢印が一回の点滅を示し、連続した矢印群が一回の群点滅を示す。制御部５６は、図７（ａ）に示すように、カウンタ５４が計数した検知回数が、所定の値になる毎に、発光部６０に所定の点滅を有する群点滅を、予め定められた繰り返し時間だけ繰り返させてよい。本例においては、検知回数が所定の値ずつ増加する毎に、一の群点滅の中で行う点滅の回数を増加させて、群点滅を繰り返させている。例えば、カウンタ５４における検知回数が１となった場合に、１回の点滅を有する群点滅を所定の時間繰り返させ、カウンタ５４における検知回数が６となった場合に、２回の点滅を有する群点滅を所定の時間繰り返させる。
【００４３】
また、制御部５６は、予め定められたリセット間隔の間、衝撃検知部５２が衝撃を検知しない場合、カウンタ５４の検知回数をリセットする。制御部５６は、衝撃検知部５２がカウンタ５４に与える信号に基づいて、衝撃検知部５２が衝撃を検知しているか否かを判定してよく、またカウンタ５４の検知回数がリセット間隔の間変化しない場合に、カウンタ５４の検知回数をリセットしてもよい。
【００４４】
本例において、発光部６０におけるそれぞれの群点滅は、所定の時間毎に行われる。また、発光部６０における群点滅は、衝撃検知部５２が衝撃を検知したタイミングと同期して行われてもよい。
【００４５】
また、制御部５６は、図７（ｂ）に示すように、カウンタ５４が計数した検知回数が所定の値になる毎に、発光部６０は、所定の点滅回数を有する群点滅を行ってもよい。本例においても、検知回数が増加するにつれ、点滅の回数を増加させることが好ましい。また、カウンタ５４が計数した検知回数が、所定の値になった場合、制御部５６は、衝撃検知部５２が衝撃を検知しなくなるまで、発光部６０に所定の点滅を繰り返させてもよい。例えば、図７（ｂ）に示すように、所定の時間間隔で点滅を繰り返させてもよい。
【００４６】
本例において、制御部５６は、検知回数が増加するにつれ、点滅の回数を増加させたが、他の例においては、制御部５６は、検知回数が増加するにつれ、点滅するチューブ２４の数を増加するように、それぞれの発光素子６４を制御してもよい。また、検知回数が増加するにつれ、点滅の回数及び点滅するチューブ２４の数を増加させるように、それぞれの発光素子６４を制御してもよい。また、制御部５６は、検知回数が増加するにつれ、発光に用いるべき発光素子の色数を増加させてもよい。
【００４７】
また、制御部５６は、一の群点滅におけるそれぞれの点滅を異なるチューブ２４に対応する発光素子６４に行わせてもよい。例えば、制御部５６は、複数のチューブ２４を順に点滅させてもよい。
【００４８】
以上説明したように、衝撃の検知回数が大きくなるにつれて、発光部６０における点滅回数、点滅するチューブ２４の数、点滅する色数等を増加させることにより、例えばリフティング練習において、使用者の達成度に応じた発光を行うことができる。このため、使用者の練習に対する意欲を高めることができる。
【００４９】
図８は、チューブ２４の一例を示す。図８（ａ）は、弾性部材１０から取り外したチューブ２４及び発光部６０を示す。チューブ２４は、チューブ２４を弾性部材１０に固定するための複数の突起部８２を有する。また、チューブ２４の両端には、発光部６０がそれぞれ設けられる。
【００５０】
図８（ｂ）は、チューブ２４及び弾性部材１０の一部の断面図を示す。弾性部材１０は、表面にチューブ２４を保持する溝部８８を有する。チューブ２４は、弾性部材１０の中心に向かって広がりを有し、図８（ｃ）に示すように溝部８８に格納される。溝部８８は、略長方形形状の断面を有し、チューブ２４が格納されることにより、チューブ２４の形状に沿って形状が変化する。チューブ２４が広がりを有することにより、チューブ２４を弾性部材１０の表面に効果的に固定することができる。チューブ２４に取り込まれた光は、チューブ２４内において反射を繰り返し導光され、チューブ２４の全体を光らせる。
【００５１】
また、チューブ２４の射出光面８４において、傷状の切り欠きを設けてもよい。射出光面８４の所望の位置に切り欠きを設けることにより、チューブ２４の所望の箇所を、他の箇所に比べ明るく光らせることができる。
【００５２】
また、チューブ２４の射出光面８４は、弾性部材１０の表面より窪むように設けられることが好ましい。これにより、チューブ２４の射出光面８４を保護することができる。また、これにより、チューブ２４が例えばリフティング練習等の妨げにならない。
【００５３】
また、チューブ２４は、弾性部材１０と接する面８６に、離間的に設けられた複数の突起部８２を有する。また、溝部８８の底面及び側面は、チューブ２４に導光された光の一部を乱反射させるために、白くコーティングしておくことが好ましい。また、溝部８８の面を白くコーティングすることにより、チューブ２４に導光される光が溝部８８の面に吸収されることを防ぐことができる。溝部８８の底面には、チューブ２４のそれぞれの突起部８２に対応した切り欠き９０が設けられる。突起部８２は切り欠き９０に嵌合し、チューブ２４を弾性部材１０に固定する。切り欠き９０の側面には接着剤が塗布されていることが好ましい。これにより、チューブ２４を弾性部材１０に離間的に固定する。この場合、チューブ２４の底面全体を弾性部材１０に接着する場合に比べ、導光される光の吸収、及び散乱を低減し、効率よく光を導光することができる。
【００５４】
また、ボール１００は、弾性部材１０の表面に、弾性部材１０を保護する保護層を備えることが好ましい。保護層は、弾性部材１０より弾性率の低い材料で形成されてよい。これにより、チューブ２４が溝部８８が外れることを更に防ぐことができる。
【００５５】
また、本実施形態においては、ボール１００の弾性部材１０を略球形状として説明したが、他の例においては、弾性部材１０は非球形状であってよい。例えば、ラグビーボールのような楕円球形状であってもよい。
【００５６】
以上、本発明を実施の形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００５７】
【発明の効果】
上記説明から明らかなように、本発明によれば、与えられた衝撃の回数に応じた発光を行うボール１００を提供することができる。このため、例えばリフティング練習等のような反復練習を行う場合に、練習に対する意欲を高めることができる。
【００５８】
つまり、衝撃を検知した回数に応じた発光をすることにより、より面白みのある発光を行うことができ、リフティング練習等に用いた場合、練習に対する意欲を高めることができる。また、弾性部材１０に電子部品５０を格納することにより、ボール１００に与えられた衝撃から電子部品５０を保護することができ、ボール１００の長寿命化を達成できる。
【００５９】
また、制御部５６が実施例において説明したように、衝撃の検知回数に応じて様々な発光をさせる場合には、より面白みのある発光を提供できる。また、ボール１００をリフティング練習等に用いた場合、練習の達成度に応じた発光を行うことができるため、使用者の練習に対する意欲を更に高めることができる。
【００６０】
また、弾性部材１０を不透明な材質によって形成し、ボール１００の表面に所望の模様を付すこともできる。これにより、ボール１００を通常のボールと同様に使用することができる。また、チューブ２６によって弾性部材１０の表面に光を導光することにより、ボール１００の表面を所望の形状に光らせることができる。また、これらにより、ボール１００を見る角度によって、異なる発光パターンを使用者に視覚させることができ、より面白みのある発光を提供することができる。
【００６１】
また、複数の独立したチューブ２６によって光を導光する場合、より多様な発光パターンを提供することができる。例えば、ボール１００の表面の所望の複数の領域を光らせることができ、且つボール１００の表面に発光しない領域を容易に設けることができる。更に、チューブ２６がループ状の形状を有し、チューブ２６の両端に発光素子６４を設けることにより、チューブ２６全体を効率よく発光させることができる。また、ボール１００を任意の角度から見た場合に、少なくとも１つのチューブ２６の少なくとも一部が視認できるように、複数のチューブ２６を配置することにより、リフティング練習等においてボール１００の発光の状態を容易に確認することができる。
【００６２】
また、チューブ２６を離間的に固定する場合、チューブ２６を効率よく発光させることができる。また、チューブ２６が、弾性部材１０の中心に向かって広がりを有する場合、弾性部材１０の溝部８８に効率的に固定することができる。また、チューブ２６の表面を、弾性部材１０の表面より窪ませることにより、チューブ２６の射出光面を保護することができ、且つチューブ２６がリフティング練習等の妨げになることを防止できる。
【図面の簡単な説明】
【図１】本発明の実施形態に係るボール１００の一例を示す図である。図１（ａ）は、ボール１００の正面図を示し、図１（ｂ）は、ボール１００の上面図を示す。
【図２】ボール１００の断面図を示す。
【図３】開口部４０を説明する図である。図３（ａ）は、開口部４０の上面図を示し、図３（ｂ）は、発光部６０の構成の一例を示し、図３（ｃ）は、発光部６０の他の例を示す。
【図４】蓋部７０の構造の一例を示す図である。図４（ａ）は、蓋部７０の断面図を示し、図４（ｂ）は、蓋部７０の上面図を示し、図４（ｃ）は、蓋部７０の裏面図を示す。
【図５】ボール１００の用途の一例を説明する図である。
【図６】電子部品５０の構成の一例を示すブロック図である。
【図７】発光パターンの制御の一例を示す図である。図７（ａ）は、発光パターンの制御の一例を示し、図７（ｂ）は、発光パターンの制御の他の例を示す。
【図８】チューブ２４の一例を示す図である。図８（ａ）は、弾性部材１０から取り外したチューブ２４及び発光部６０を示し、図８（ｂ）は、チューブ２４及び弾性部材１０の一部の断面図を示し、図８（ｃ）は、溝部８８に挿入されたチューブ２４を示す。
【符号の説明】
１０・・・弾性部材、２４・・・チューブ、３６・・・配線、４０・・・開口部、４２・・・溝部、４４・・・空洞、５０・・・電子部品、５２・・・衝撃検知部、５４・・・カウンタ、５６・・・制御部、６０・・・発光部、６２・・・カバー、６４・・・発光素子、７０・・・蓋部、７２・・・表層部、７４・・・突出部、７６・・・挿入部、７８・・・溝部、８０・・・斜面、８２・・・突起部、８４・・・射出光面、８６・・・面、８８・・・溝部、９０・・・切り欠き、９２・・・保護層、１００・・・ボール
【図１】
2004016451.tif 000003
【図２】
2004016451.tif 000004
【図３】
2004016451.tif 000005
【図４】
2004016451.tif 000006
【図５】
2004016451.tif 000007
【図６】
2004016451.tif 000008
【図７】
2004016451.tif 000009
【図８】
2004016451.tif 000010